(57)【要約】【課題】携帯電話のバッテリを充電しながらパソコンと接続した通信を行うことを可能とすることを課題とする。【解決手段】携帯電話１を載置部５１０に載置した状態で、携帯電話１のバッテリを充電することが可能であると共に、携帯電話１と接続された通信ケーブル８００を充電部５００の孔５７０、通信部６００の第２孔部６２０、第１孔部６１０を挿通させ、通信ケーブル８００を介して携帯電話１とパソコンとを電気的に接続させることが可能である。従って、携帯電話のバッテリを充電しながら通信を行うことが可能である。【選択図】  図４
2004289902.tif 000002
【特許請求の範囲】
【請求項１】
通信端子が下部にあり、前記通信端子に接続された通信ケーブルが下方に延在する通信機器を縦向きで載置して充電する充電器において、
前記通信ケーブルが前記通信端子から略Ｌ字型に曲がって外部へと延在するための空間部を設けたことを特徴とする充電器。
【請求項２】
通信端子が下部にあり、前記通信端子に接続された通信ケーブルが下方に延在する通信機器を縦向きで載置して充電する充電器において、
前記充電器は、台部と、該台部上に搭載された充電部とからなり、
前記充電部は、上面に通信機器を載置する為の載置部を有すると共に前記載置部から前記充電部の底面まで延在する貫通孔を有し、更に、前記載置部に前記通信機器を載置した際に前記通信機器のバッテリを充電する為の充電端子と、該充電端子に電力を供給する充電用ケーブルを接続する為のプラグとを有し、
前記台部は、該台部の上面から側面に延在する通信ケーブル孔を有し、
前記充電部の貫通孔と前記台部の通信ケーブル孔が略一致するように前記充電部と前記台部を接続した状態で、前記通信ケーブルを、前記通信ケーブル孔と前記貫通孔に挿通させた状態で前記通信機器と接続可能としたことを特徴とする充電器。
【請求項３】
請求項２記載の充電器であり、前記充電器は、前記通信機器が前記搭載部に搭載された際に前記通信機器を前記搭載部内方へ付勢する付勢部材を有することを特徴とする充電器。
【発明の詳細な説明】
【０００１】
【発明の属する技術分野】
本発明は、通信機器の充電器に関する。
【０００２】
【従来の技術】
携帯電話装置等の通信機器に搭載されたバッテリを充電する為の充電装置は、様々な形状のものが製品化され、又、提案されている。
【０００３】
例えば、ストレートタイプの携帯電話を立て向きに置いた状態で充電可能な充電器が提案されている（例えば、文献１参照）。
【０００４】
【特許文献１】
特開平１１−３３２１１４号公報（第３頁〜第４頁及び図１）。
【０００５】
【発明が解決しようとする課題】
例えば、ユーザがホテル等の宿泊先から、携帯電話とパーソナルコンピュータを接続して、パーソナルコンピュータからのデータを携帯電話を用いて送信させる場合がある。このような場合、携帯電話のバッテリ残量があれば問題がないが、
バッテリ残量が残り少ない場合には、無線通信を行うとバッテリの電力を多く消耗してしまう為、通信途中でバッテリが切れてしまう可能性がある。
【０００６】
このような問題を回避する為には、携帯電話の充電池を充電しながら通信を行うことが考えられる。
【０００７】
しかしながら、通常、携帯電話の通信用のコネクタは、携帯電話の底面に設けられている為、例えば、前記文献１に記載のような充電器では、携帯電話を縦向きに置いて充電すると、通信用ケーブルを携帯電話に接続できないといった問題が生じる。
【０００８】
【課題を解決するための手段】
本発明はこのような課題を解決する為のものであり、請求項１記載の充電器は、  通信端子が下部にあり、前記通信端子に接続された通信ケーブルが下方に延在する通信機器を縦向きで載置して充電する充電器において、前記通信ケーブルが前記通信端子から略Ｌ字型に曲がって外部へと延在するための空間部を設けたことを特徴とする。
【０００９】
請求項２記載の充電器は、通信端子が下部にあり、前記通信端子に接続された通信ケーブルが下方に延在する通信機器を縦向きで載置して充電する充電器において、前記充電器は、台部と、該台部上に搭載された充電部とからなり、前記充電部は、上面に通信機器を載置する為の載置部を有すると共に前記載置部から前記充電部の底面まで延在する貫通孔を有し、更に、前記載置部に前記通信機器を載置した際に前記通信機器のバッテリを充電する為の充電端子と、該充電端子に電力を供給する充電用ケーブルを接続する為のプラグとを有し、前記台部は、該台部の上面から側面に延在する通信ケーブル孔を有し、前記充電部の貫通孔と前記台部の通信ケーブル孔が略一致するように前記充電部と前記台部を接続した状態で、前記通信ケーブルを、前記通信ケーブル孔と前記貫通孔に挿通させた状態で前記通信機器と接続可能としたことを特徴とする。
【００１０】
請求項３記載の充電器は、請求項２記載の充電器であり、前記充電器は、前記通信機器が前記搭載部に搭載された際に前記通信機器を前記搭載部内方へ付勢する付勢部材を有することを特徴とする。
【００１１】
【発明の実施の形態】
本発明を適用してなる実施例装置では、携帯電話を充電器に立て向きに載置した状態で充電可能であると共に、充電時にパソコンと携帯電話を通信用ケーブルで接続し通信可能とするものである。又、携帯電話を立て向きに置いた状態で通信を行える為、ユーザが表示部の表示を容易に見ることが可能である。
【００１２】
図１は、本実施例装置である充電装置に載置し充電可能な携帯電話の斜視図である。
【００１３】
図１において、携帯電話１は、表示部１０を有する第１の筐体１００と、アンテナ２０、一対の充電端子３０、３０、通信用ケーブルを挿入するための通信用コネクタ４０（図示せず）を有する第２の筐体２００とが、ヒンジ部３００を介して図１中矢印方向に開閉可能である。尚、通信用コネクタ４０は、２つの充電端子３０、３０の間に配設される。
【００１４】
図２は、図１に示す携帯電話１を本実施例装置の充電器に搭載した際の斜視図を示している。
【００１５】
充電器４００は、充電部５００と通信部６００の２つの部分を有しており、充電部５００には電源ケーブル７００が接続され、通信部６００には通信用ケーブル８００が接続される。又、前記充電部５００は通信部６００から取り外し可能であり、充電部５００のみに携帯電話１を搭載し携帯電話１を充電することも可能である。
【００１６】
図３は、図２に示す充電器４００を矢印Ａ方向から見た断面図である。
【００１７】
但し、図３では携帯電話１を記載していない状態での充電器４００の断面図を示している。
【００１８】
図３において、充電部５００は、携帯電話１を載置するため為の載置部５１０を有している。
【００１９】
又、載置部５１０の底面には、携帯電話を載置部５１０に載置した際に携帯電話１の充電端子３０と接触する充電端子５２０が配置されている。
【００２０】
図３において、前記載置部５１０より図３紙面右側には、電源ケーブル７００を接続する為の電源コネクタ５３０が配置されており、電源コネクタ５３０は、電源基板５４０を介して充電端子５２０と電気的に接続されている。又、前記電源基板５４０には、ダイオードや抵抗等からなる保護回路が形成されており、電源コネクタ５３０からの電圧が常に一定の値で充電端子５２０に供給されている。
【００２１】
尚、前記充電端子５２０は、図１に示す通信装置の充電端子３０に対応する位置に２つ配置されており、２つの充電端子の間には、通信ケーブル６００を挿通させるための孔５７０が形成されている。
【００２２】
一方、通信部６００の内部は略空洞になっており、通信部６００の図３紙面左側には通信用ケーブル８００を通す為の第１の通信ケーブル孔部６１０が形成されており、通信部６００の上面には、通信用ケーブル８００を載置部５１０まで通じさせる為の第２の通信ケーブル孔部６２０が形成されている。
【００２３】
図３に示すように前記充電部５００と前記通信部６００とを接続した状態では、前記第２の通信ケーブル孔部６２０の上方に位置する充電部５００の底面は、略空洞になっており、更に、上述したように前記２つの充電端子５２０の間には孔５７０が形成されている。従って、図３に示す状態では、前記充電部５００の載置部５１０と前記通信部６００の内部との間に通信ケーブルを挿通させることが可能である。
【００２４】
前記載置部５１０の図３紙面右側には付勢部材５５０が配置されており、スプリング５６０によって前記付勢部材５５０が載置部５１０側へ付勢されている。この付勢部材５５０については後ほど詳細に説明する。
【００２５】
図４は、携帯電話１を載置部５１０に載置した状態での充電器４００の断面図である。尚、充電部５００の充電端子５２０は図示していない。
【００２６】
図４において、携帯電話１は通信用ケーブル８００を介してパソコン（図示せず）と接続されており、充電部５００の付勢部材５５０が載置部５１０に載置された携帯電話１が容易に抜け落ちないように携帯電話１を付勢している。
【００２７】
通信ケーブル８００を携帯電話１に装着した状態で携帯電話１を携帯電話載置部５１０に載置すると、通信ケーブル８００がたわむことにより、携帯電話１が携帯電話載置部５１０から浮き、あるいは外れ、携帯電話の充電端子３０と充電部５００の充電端子５２０とが非接触となる可能性がある。このような事態を回避する為に前記付勢部材５５０が携帯電話１を付勢している。
【００２８】
尚、携帯電話１に通信ケーブル８００を接続してから、通信ケーブル８００を、２つの充電端子５２０の間の孔５７０、第２の通信ケーブル孔部６２０．第１の通信ケーブル孔部６１０へ挿通することにより、通信ケーブル８００を介して携帯電話１とパソコン（図示せず）を接続可能であり、又、パソコンと通信ケーブル８００とを接続してから、通信ケーブル８００を第１の通信ケーブル孔部６１０、第２の通信ケーブル孔部６２０、２つの充電端子５２０の間の孔５７０へ挿通することにより、通信ケーブル８００を介して携帯電話１とパソコン（図示せず）を接続することもできる。
【００２９】
図４に示すように、携帯電話１を載置部５１０に載置し、通信ケーブル８００を介して携帯電話１とパソコン（図示せず）を電気的に接続した状態で、携帯電話１の充電端子３０と充電部５００の充電端子５２０が接続し、携帯電話１のバッテリが充電される。
【００３０】
携帯電話１を載置部５１０に載置した状態では、例えば図２の斜視図に示すように、表示部１０に電波状態と送信状態を示すメッセージ（例えば、「送信中」）が表示される。このとき、携帯電話１は立て向きに載置されているため、ユーザは表示部１０を容易に見ることが可能である。即ち、ユーザは、通信操作を行いながら容易に電波状態や通信状況を認識することが可能である。
【００３１】
図５は、充電部５００を通信部６００から外し、充電部５００の載置部５１０に携帯電話１を載置した状態の斜視図を示している。
【００３２】
図５に示すように充電部５００を通信部６００から外し、更に、通信ケーブル８００を携帯電話１から取り外すことにより、通信ケーブル８００を携帯電話１に接続していない状態で携帯電話１のバッテリを充電することも可能である。
【００３３】
充電部５００を通信部６００から外すには、充電部５００を図３に示す矢印Ｂ方向に移動させることにより、図３に示す通信部６００上面に形成された略ユの字状の凸部６３０と充電部５００底面に形成された凹部５８０の係合を解除することが可能である。
【００３４】
このように、充電器４００を充電のためだけに使用する際には、通信部６００を取り外し充電部５００だけを持ち運ぶことが可能である為、不要な荷物が発生することがない。
【００３５】
以上説明したように、本実施例装置である充電器４００は、携帯電話１のバッテリを充電しながら通信を行うことを可能にしている。この為、ユーザがホテル等でパソコンと携帯電話１をつなぎ、携帯電話１を用いて通信を行おうとする際に、携帯電話１のバッテリ容量が少ない為に、一々携帯電話１のバッテリを充電した後に通信を開始する必要がない。
【００３６】
又、本実施例装置では、携帯電話１を縦向きに載置した状態で充電と通信を可能にしている。この為、例えば電波状態や通信状態などを表示装置１０に表示する携帯電話１を使用する場合には、ユーザは、携帯電話１の表示部１０を見ながらパソコンを用いて通信操作を行うことが可能である。
【００３７】
更に、本実施例では、通信部６００から充電部５００を取り外すことが可能である為、できるだけ荷物を少なくすることができる。
【００３８】
【発明の効果】
本発明は、携帯電話のバッテリを充電しながらパソコンと接続した通信を行うことを可能とする。
【図面の簡単な説明】
【図１】携帯電話の斜視図である。
【図２】携帯電話を載置した充電器４００の斜視図である。
【図３】充電器４００の断面図である。
【図４】携帯電話を載置した充電器４００の断面図である。
【図５】携帯電話を載置した充電部５００の斜視図である。
【符号の説明】
１  携帯電話
５００  充電部
５１０  載置部
５５０  付勢部材
５７０  孔
６００  通信部
６１０  第１の通信ケーブル孔部
６２０  第２の通信ケーブル孔部
７００  電源ケーブル
８００  通信ケーブル
【図１】
2004289902.tif 000003
【図２】
2004289902.tif 000004
【図３】
2004289902.tif 000005
【図４】
2004289902.tif 000006
【図５】
2004289902.tif 000007